(57)【要約】【課題】  伝送波長別に分散補償することで、各伝送波長の分散補償量を波長別に異にし、全ての伝送波長に対する分散補償を正確に行える光通信システムの光分散補償装置及びその方法を提供する。【解決手段】  入力光繊維と連結された入力ポートと、出力光繊維と連結された出力ポートと、前記入力ポートから入力された光信号を波長別に分岐する光帯域分割器と、前記分岐された波長別光信号を波長別分散補償量が異なるように分散補償する複数個の分散補償光繊維と、各分散補償光繊維を通過した光信号を前記出力ポートに収斂させる収斂手段と、を含んで光通信システムの光分散補償装置を構成する。【選択図】図１
2005151564.tif 000002
【特許請求の範囲】
【請求項１】
入力光繊維と連結された入力ポートと、
出力光繊維と連結された出力ポートと、
前記入力ポートから入力された光信号を波長別に分岐する光帯域分割器と、
前記分岐された波長別光信号を波長別分散補償量が異なるように分散補償する複数個の分散補償光繊維と、
各分散補償光繊維を通過した光信号を前記出力ポートに収斂させる収斂手段と、を含んで構成されたことを特徴とする光通信システムの光分散補償装置。
【請求項２】
前記収斂手段は、
各分散補償光繊維を通過した波長別光信号をそれぞれ反射する複数個の光反射器と、
各分散補償光繊維と前記光反射器との間に連結され、波長別光信号の強さを所定レベルにそれぞれ減衰する複数個の光減衰器と、を含むことを特徴とする請求項１記載の光通信システムの光分散補償装置。
【請求項３】
前記入力ポートから入力された前記光信号を前記光帯域分割器側に伝達し、前記光帯域分割器側から伝送される光信号を前記出力ポートに伝達する光回転器と、
前記光回転器と前記光帯域分割器との間に連結され、前記光信号の全ての波長に対して共通的に分散補償を行う共通分散補償光繊維と、を更に含むことを特徴とする請求項１記載の光通信システムの光分散補償装置。
【請求項４】
前記光帯域分割器は、
前記光信号から分岐される波長帯域の個数だけ備わることを特徴とする請求項１記載の光通信システムの光分散補償装置。
【請求項５】
前記分散補償光繊維の波長別分散補償量は、
分岐された波長帯域の波長が長いほど分散補償量が多く、分岐された波長帯域の波長が短いほど分散補償量が少ないことを特徴とする請求項１記載の光通信システムの光分散補償装置。
【請求項６】
波長が最も長い波長帯域の分散補償光繊維が最も長く、波長が最も短い波長帯域の分散補償光繊維が最も短いことを特徴とする請求項５記載の光通信システムの光分散補償装置。
【請求項７】
各分散補償光繊維の長さは、
該当する波長帯域の光信号の残余分散量を完全に除去するための長さの１/２であることを特徴とする請求項６記載の光通信システムの光分散補償装置。
【請求項８】
伝送波長帯域別に光信号を分割する過程と、
前記分割された波長帯域別光信号がそれぞれ異なる長さの分散補償光繊維を通過することで残余分散量を除去する過程と、を含んで構成されることを特徴とする光通信システムの光分散補償方法。
【請求項９】
前記光信号の全ての伝送波長帯域に対し、共通分散補償光繊維を利用して共通的に分散補償する過程を更に含むことを特徴とする請求項８記載の光通信システムの光分散補償方法。
【請求項１０】
各分散補償光繊維を通過した波長帯域別光信号の強さを所定レベルにそれぞれ減衰する過程を更に含むことを特徴とする請求項８記載の光通信システムの光分散補償方法。
【請求項１１】
前記波長帯域別光信号をそれぞれ反射する過程を更に含むことを特徴とする請求項１０記載の光通信システムの光分散補償方法。
【請求項１２】
波長が最も長い波長帯域の光信号を分散補償するための分散補償光繊維が最も長く、波長が最も短い波長帯域の光信号を分散補償するための分散補償光繊維が最も短いことを特徴とする請求項８記載の光通信システムの光分散補償方法。
【請求項１３】
各分散補償光繊維の長さは、
該当する波長帯域の光信号の残余分散量を完全に除去するための長さの１/２であることを特徴とする請求項１２記載の光通信システムの光分散補償方法。
【請求項１４】
分割された各波長帯域の光信号は、波長帯域別に異なる長さの各分散補償光繊維によって残余分散量の１/２が除去され、各光減衰器によって所定レベルに減衰され、各光反射器によって反射された後、各光減衰器及び各分散補償光繊維を再び通過することを特徴とする請求項１３記載の光通信システムの光分散補償方法。
【請求項１５】
前記分割された各波長帯域の光信号のうち波長が最も長い波長帯域の光信号は、光減衰器を通過しないことを特徴とする請求項１４記載の光通信システムの光分散補償方法。
【発明の詳細な説明】
【技術分野】
【０００１】
本発明は、光通信システムの光分散補償装置及びその方法に係るもので、詳しくは、各波長の分散を波長別に補償する装置及びその方法に関するものである。
【背景技術】
【０００２】
最近、情報関連技術であるコンピュータ及び通信技術は、多量の情報を送受信できる高速光繊維通信に関する技術を通して飛躍的に発展している。特に、動画像、音声信号及び文字信号のような多様な形態のデータを含むマルチメディア情報の高速伝送、双方向の対話型通信環境、加入者数の爆発的な増加などの趨勢に従って、同一の光伝送線路内でより多量の情報を歪曲なしに送受信できる技術が重要になっている。
【０００３】
即ち、伝送線路の広帯域化及び所定帯域幅内でより多くのチャネルを分割する技術が必要になる。このような光通信の伝送線路として利用される光繊維は、酸化珪素を主成分にする光導波路により構成され、前記光繊維は、それぞれ異なる波長を有するチャネルの光信号に対する光繊維の伝播特性によって差がある。このような光繊維伝送線路の特性のため、送信機から出力された光信号は、一定の距離の光繊維伝送線路を経た後、歪曲された光信号の特性が補正されたときのみに誤差のない通信を期待することができる。
【０００４】
前記歪曲された光信号の特性としては、光信号エネルギーの損失、光信号の分散などが挙げられる。前記光信号エネルギーの損失は、エルビウムが添加された光繊維増幅器を利用して効率的に補償できるので、超高速光信号の長距離伝送が可能である。従って、超高速長距離光通信の最も大きな制限要因は、光信号の分散といえる。
【０００５】
前記分散は、光繊維を進行する光パルスの広がり現象を意味し、１５５０nm帯域での光繊維は、ほぼ分散係数D=１７〜１８ps/nm/kmの値を有する。
【０００６】
波長分割多重化(Wavelength-Division  Multiplexing;以下、WDMと略称する)光伝送システムでは、チャネル当たり１０Gbps級以上で光信号を伝送するとき、光信号の分散を補償することが必須である。例えば、光信号の伝送速度が１０Gbpsであるとき、伝送距離が６０km以上になると光信号が歪曲されるため、１００km以上で光信号を伝送することが難しくなる。
【０００７】
図３は、一般的な光通信システムにおける分散補償光繊維を利用した光分散補償装置の構造を示した図で、図３に示したように、一般的な光通信システムの光分散補償装置は、入力光繊維１０から伝送された光信号の分散を補償し、分散補償された光信号を出力光繊維２０に出力する分散補償光繊維３０により構成される。
【０００８】
前記入力光繊維１０及び出力光繊維２０は、一般的な伝送線路である光繊維である。
【０００９】
図４は、一般的な分散補償光繊維３０による分散補償の結果を示したグラフである。
【００１０】
通常、理想的な光繊維の分散は、全体の波長領域で一定の値を有するべきである。然し、ほぼ全ての光繊維は、波長によって分散が変わることで一定の傾きに示される。即ち、傾きが小さくなるほど、波長による分散の変化量が少なくなる。
【００１１】
WDM光伝送システムで光信号が１０Gbps以上の伝送速度で入力光繊維１０を通過すると(B地点)、光信号の波長ごとに異なる量の分散が発生し、各波長ごとに分散が発生した光信号は分散補償光繊維３０に入力される。分散補償光繊維３０の分散係数の波長依存性のため、分散補償光繊維３０によって光信号の分散補償が行われた後も、その光信号にはチャネルごとに(各波長ごとに)残余分散量が残る(C地点)。例えば、図４に示したように、l1~l3Nの伝送波長が分散補償光繊維３０によって分散補償されるとき、l1波長の場合、分散が完全に補償されたが、lN、l2N、l3N波長の場合、残余分散量がそれぞれd１、d２、d３だけ残る。このような残余分散量は、長距離伝送時、多様な分散補償光繊維を経て線形的に累積されることで、無視できない量に大きくなる。
【特許文献１】韓国特許出願公開第２００３-６９３６２号明細書
【特許文献２】米国特許５,５９８,２９４号明細書
【特許文献３】米国特許５,４０４,４１３号明細書
【特許文献４】特開１９９７-０３６８１４号公報
【発明の開示】
【発明が解決しようとする課題】
【００１２】
以上説明したように、一般的な分散補償光繊維を利用した光分散補償装置は、各波長ごとに異なる量の分散が発生するが、全ての波長に対して一定の長さ(図４の場合、長さ"L")だけ分散補償することで、各波長の分散を正確に補償できず、信号歪曲が大きくなるという問題点があった。
【００１３】
本発明は、このような従来の課題に鑑みてなされたもので、伝送波長別に分散補償することで、各伝送波長の分散補償量を波長別に異にし、全ての伝送波長に対する分散補償を正確に行える光通信システムの光分散補償装置及びその方法を提供することを目的とする。
【課題を解決するための手段】
【００１４】
このような目的を達成するため、本発明に係る光通信システムの光分散補償装置は、入力光繊維と連結された入力ポートと、出力光繊維と連結された出力ポートと、前記入力ポートから入力された光信号を波長別に分岐する光帯域分割器と、前記分岐された波長別光信号を波長別分散補償量が異なるように分散補償する複数個の分散補償光繊維と、各分散補償光繊維を通過した光信号を前記出力ポートに収斂させる収斂手段と、を含んで構成されることを特徴とする。
前記収斂手段は、各分散補償光繊維を通過した波長別光信号をそれぞれ反射する複数個の光反射器と、各分散補償光繊維と前記光反射器との間に連結され、波長別光信号の強さを所定レベルにそれぞれ減衰する複数個の光減衰器と、を含む。
【００１５】
前記光分散補償装置は、前記入力ポートから入力された前記光信号を前記光帯域分割器側に伝達し、前記光帯域分割器側に伝送される光信号を前記出力ポートに伝達する光回転器と、前記光回転器と前記光帯域分割器との間に連結され、前記光信号の全ての波長に対して共通的に分散補償を行う共通分散補償光繊維と、を更に含む。
【００１６】
前記光帯域分割器は、前記光信号から分岐される波長帯域の個数だけ備わる。
また、このような目的を達成するため、本発明に係る光通信システムの光分散補償方法は、伝送波長帯域別に光信号を分割する過程と、前記分割された波長帯域別光信号がそれぞれ異なる長さの分散補償光繊維を通過することで残余分散量を除去する過程と、を含んで構成されることを特徴とする。
【００１７】
前記光通信システムの光分散補償方法は、前記光信号の全ての伝送波長帯域に対し、共通分散補償光繊維を利用して共通的に分散補償する過程を更に含む。
【００１８】
前記光通信システムの光分散補償方法は、各分散補償光繊維を通過した波長帯域別光信号の強さを所定レベルにそれぞれ減衰する過程を更に含む。
【００１９】
前記光通信システムの光分散補償方法は、前記波長帯域別光信号をそれぞれ反射する過程を更に含む。
【００２０】
波長が最も長い波長帯域の光信号を分散補償するための分散補償光繊維が最も長く、波長が最も短い波長帯域の光信号を分散補償するための分散補償光繊維が最も短い。
各分散補償光繊維の長さは、該当する波長帯域の光信号の残余分散量を完全に除去するための長さの１/２である。
【００２１】
分割された各波長帯域の光信号は、波長帯域別に異なる長さの各分散補償光繊維によって残余分散量の１/２が除去され、各光減衰器によって所定レベルに減衰され、各光反射器によって反射された後、各光減衰器及び各分散補償光繊維を再び通過する。
前記分割された各波長帯域の光信号のうち波長が最も長い波長帯域の光信号は、光減衰器を通過しない。
【００２２】
従って、本発明は、以下を提供する：
１．入力光繊維と連結された入力ポートと、
出力光繊維と連結された出力ポートと、
前記入力ポートから入力された光信号を波長別に分岐する光帯域分割器と、
前記分岐された波長別光信号を波長別分散補償量が異なるように分散補償する複数個の分散補償光繊維と、
各分散補償光繊維を通過した光信号を前記出力ポートに収斂させる収斂手段と、を含んで構成されたことを特徴とする光通信システムの光分散補償装置。
２．前記収斂手段は、
各分散補償光繊維を通過した波長別光信号をそれぞれ反射する複数個の光反射器と、
各分散補償光繊維と前記光反射器との間に連結され、波長別光信号の強さを所定レベルにそれぞれ減衰する複数個の光減衰器と、を含むことを特徴とする項目１記載の光通信システムの光分散補償装置。
３．  前記入力ポートから入力された前記光信号を前記光帯域分割器側に伝達し、前記光帯域分割器側から伝送される光信号を前記出力ポートに伝達する光回転器と、
前記光回転器と前記光帯域分割器との間に連結され、前記光信号の全ての波長に対して共通的に分散補償を行う共通分散補償光繊維と、を更に含むことを特徴とする項目１記載の光通信システムの光分散補償装置。
４．  前記光帯域分割器は、
前記光信号から分岐される波長帯域の個数だけ備わることを特徴とする項目１記載の光通信システムの光分散補償装置。
５．  前記分散補償光繊維の波長別分散補償量は、
分岐された波長帯域の波長が長いほど分散補償量が多く、分岐された波長帯域の波長が短いほど分散補償量が少ないことを特徴とする項目１記載の光通信システムの光分散補償装置。
６．  波長が最も長い波長帯域の分散補償光繊維が最も長く、波長が最も短い波長帯域の分散補償光繊維が最も短いことを特徴とする項目５記載の光通信システムの光分散補償装置。
７．  各分散補償光繊維の長さは、
該当する波長帯域の光信号の残余分散量を完全に除去するための長さの１/２であることを特徴とする項目６記載の光通信システムの光分散補償装置。
８．  伝送波長帯域別に光信号を分割する過程と、
前記分割された波長帯域別光信号がそれぞれ異なる長さの分散補償光繊維を通過することで残余分散量を除去する過程と、を含んで構成されることを特徴とする光通信システムの光分散補償方法。
９．  前記光信号の全ての伝送波長帯域に対し、共通分散補償光繊維を利用して共通的に分散補償する過程を更に含むことを特徴とする項目８記載の光通信システムの光分散補償方法。
１０．  各分散補償光繊維を通過した波長帯域別光信号の強さを所定レベルにそれぞれ減衰する過程を更に含むことを特徴とする項目８記載の光通信システムの光分散補償方法。
１１．  前記波長帯域別光信号をそれぞれ反射する過程を更に含むことを特徴とする項目１０記載の光通信システムの光分散補償方法。
１２．  波長が最も長い波長帯域の光信号を分散補償するための分散補償光繊維が最も長く、波長が最も短い波長帯域の光信号を分散補償するための分散補償光繊維が最も短いことを特徴とする項目８記載の光通信システムの光分散補償方法。
１３．  各分散補償光繊維の長さは、
該当する波長帯域の光信号の残余分散量を完全に除去するための長さの１/２であることを特徴とする項目１２記載の光通信システムの光分散補償方法。
１４．  分割された各波長帯域の光信号は、波長帯域別に異なる長さの各分散補償光繊維によって残余分散量の１/２が除去され、各光減衰器によって所定レベルに減衰され、各光反射器によって反射された後、各光減衰器及び各分散補償光繊維を再び通過することを特徴とする項目１３記載の光通信システムの光分散補償方法。
１５．  前記分割された各波長帯域の光信号のうち波長が最も長い波長帯域の光信号は、光減衰器を通過しないことを特徴とする項目１４記載の光通信システムの光分散補償方法。
【発明の効果】
【００２３】
本発明は、伝送波長別に異なる長さの分散補償光繊維を通過させ、各伝送波長の分散補償量を波長別に異にすることで、光信号の全ての伝送波長に対する分散補償を正確に行い、信号歪曲を防止できるという効果がある。
【発明を実施するための最良の形態】
【００２４】
以下、本発明の実施の形態に対し、図面に基づいて説明する。
図１は、本発明に係る光通信システムの光分散補償装置の構成を示した図である。図１に示したように、本発明に係る光通信システムの光分散補償装置は、入力光繊維１０から第１ポート１１１に入力される光信号を第２ポート１１２に伝達し、前記第２ポート１１２に入力される光信号を第３ポート１１３を通して出力光繊維２０に出力する光回転器１１０と、前記光回転器１１０の第２ポート１１２を通して出力される光信号を共通的に分散補償する共通分散補償光繊維１２０と、前記共通分散補償光繊維１２０から伝送される光信号を波長帯域別に分岐する複数個の光帯域分割器１６０、１７０と、前記波長帯域別に長さを異にして前記複数個の光帯域分割器１６０、１７０の出力ポート１６１、１７１、１７２にそれぞれ連結された複数個の帯域分散補償光繊維１３０、１４０、１５０と、各帯域分散補償光繊維１３０、１４０、１５０を通過する各波長帯域の光信号をそれぞれ反射する複数個の光反射器１８１、１８２、１８３と、を含んで構成されている。
【００２５】
図１は、光帯域分割器１６０、１７０が２個備わった例を示すが、このような光帯域分割器の個数は、波長別分散補償のために分割される伝送波長帯域の個数によって変わる。
【００２６】
図２は、本発明に係る光分散補償装置の伝送波長別分散補償によって残余分散量が除去された伝送波長のグラフを示している。光信号の伝送波長(l1~l3N)をl1~lN、lN+1~l2N、l2N+1~l3N帯域に分けて分散補償を行う場合、L１は、光信号の全体波長(l1~l3N)を共通的に分散補償するための分散補償光繊維の長さで、L２は、l1~lN帯域の残余分散量を除去するための分散補償光繊維の長さで、L３は、lN+1~l2N帯域の残余分散量を除去するための分散補償光繊維の長さで、L４は、l2N+1~l3N帯域の残余分散量を除去するための分散補償光繊維の長さである。
【００２７】
ここで、前記共通分散補償光繊維１２０の長さは、図２のL１の１/２になるように形成され、第１帯域分散補償光繊維１３０の長さは、図２のL２の１/２になるように形成され、第２帯域分散補償光繊維１４０の長さは、図２のL３の１/２になるように形成され、第３帯域分散補償光繊維１５０の長さは、図２のL４の１/２になるように形成される。
【００２８】
前記第１帯域分散補償光繊維１３０の長さは、第３帯域分散補償光繊維１５０の長さよりも短いため、第３帯域分散補償光繊維１５０を経た光信号の強さが第１帯域分散補償光繊維１３０を経た光信号の強さより弱くなる。従って、第１帯域分散補償光繊維１３０を経た光信号及び第３帯域分散補償光繊維１５０を経た光信号が共通分散補償光繊維１２０に入力されるとき、互いに異なる強さで合わせられる。よって、第１帯域分散補償光繊維１３０と第１光反射器１８１との間に第１光減衰器１９１が連結され、第２帯域分散補償光繊維１４０と第２光反射器１８２との間に第２光減衰器１９２が連結される。
【００２９】
前記第１光減衰器１９１は、図２のL４-L２長さの分散補償光繊維を通過するときに減衰される量と同一に光信号(l1~lN)を減衰する。また、前記第２光減衰器１９２は、図２のL４-L３長さの分散補償光繊維を通過するときに減衰される量と同一に光信号(lN+1~l2N)を減衰する。従って、第１〜第３帯域分散補償光繊維１３０、１４０、１５０をそれぞれ経た各光信号の強さが互いに同一になる。
【００３０】
以下、このように構成された本発明に係る光通信システムの光分散補償装置の動作を説明する。
【００３１】
l1~l3Nの伝送波長を有する光信号が入力光繊維１０を経て第１ポート１１１に到達したとき、図２のDのように、波長別に互いに異なる量で分散される。
【００３２】
光回転器１１０は、前記第１ポート１１１に到達された光信号を第２ポート１１２に出力する。L２の１/２の長さを有する共通分散補償光繊維１２０は、前記第２ポート１１２から出力される光信号の分散補償を行う。第１光帯域分割器１６０は、前記共通分散補償光繊維１２０を通過した前記光信号からl1~lN帯域の伝送波長を第１出力ポート１６１に分岐し、残りの波長(lN+1~l3N)の光信号を第２出力ポート１６２に出力する。第２光帯域分割器１７０は、前記第２出力ポート１６２から出力される光信号からlN+1~l2N帯域の伝送波長を第１出力ポート１７１に分岐し、前記lN+1~l2N帯域の伝送波長が分岐された後に残った波長(l2N+1~l3N)の光信号を第２出力ポート１７２に出力する。
【００３３】
従って、l1~lN帯域の伝送波長の光信号は、L２の１/２の長さを有する第１帯域分散補償光繊維１３０を経て分散補償された後、第１光減衰器１９１を通過し、第１光反射器１８１によって反射されて再び前記第１光減衰器１９１、前記第１帯域分散補償光繊維１３０及び前記第１光帯域分割器１６０を通過する。
【００３４】
また、lN+1~l2N帯域の伝送波長の光信号は、L３の１/２の長さを有する第２帯域分散補償光繊維１４０を経て分散補償された後、第２光減衰器１９２を通過し、第２光反射器１８２によって反射されて再び前記第２光減衰器１９２、前記第２帯域分散補償光繊維１４０及び前記第２光帯域分割器１７０を通過する。
【００３５】
また、l2N+1~l3N帯域の伝送波長の光信号は、L４の１/２の長さを有する第３帯域分散補償光繊維１５０を経て分散補償された後、第３光反射器１８３によって反射されて再び前記第３帯域分散補償光繊維１５０及び前記第２光帯域分割器１７０を通過する。
【００３６】
このように、第１光帯域分割器１６０及び第２光帯域分割器１７０によって分割されたl1~lN帯域の伝送波長の光信号、lN+1~l2N帯域の伝送波長の光信号、l2N+1~l3N帯域の伝送波長の光信号は、L１の１/２の長さを有する共通分散補償光繊維１２０によって分散補償された後、光回転器１１０によって第３ポート１１３に出力される。
【００３７】
従って、l1~lN帯域の伝送波長の光信号は、第１帯域分散補償光繊維１３０を２回、共通分散補償光繊維１２０を２回通過することで、L１+L２長さの分散補償光繊維を通過する。また、前記lN+1~l2N帯域の伝送波長の光信号は、第２帯域分散補償光繊維１４０を２回、共通分散補償光繊維１２０を２回通過することで、L１+L３長さの分散補償光繊維を通過する。また、前記l2N+1~l3N帯域の伝送波長の光信号は、第３帯域分散補償光繊維１５０を２回、共通分散補償光繊維１２０を２回通過することで、L１+L４長さの分散補償光繊維を通過する。
【００３８】
本発明に係る光分散補償装置は、異なる長さの分散補償光繊維を通過することで発生する光減衰量の差を光減衰器によって補償する。
【００３９】
従って、本発明に係る光分散補償装置は、波長別に分散量が異なる場合も、光信号が波長別に異なる長さの分散補償光繊維を通過することで、残余分散量を除去しながら分散補償を行うことができる。
【００４０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４１】
【図１】本発明に係る光通信システムの光分散補償装置の構成を示した図である。
【図２】本発明に係る光分散補償装置の伝送波長別分散補償によって残余分散量が除去された伝送波長を示したグラフである。
【図３】一般的な光通信システムにおける分散補償光繊維を利用した光分散補償装置の構造を示した図である。
【図４】一般的な分散補償光繊維による分散補償の結果を示したグラフである。
【符号の説明】
【００４２】
１０：入力光繊維
２０：出力光繊維
１１０：光回転器
１２０：共通分散補償光繊維
１３０、１４０、１５０：帯域分散補償光繊維
１６０、１７０：光帯域分割器
１６１、１７１、１７２：出力ポート
１８１、１８２、１８３：光反射器
１９１、１９２：光減衰器
【図１】
2005151564.tif 000003
【図２】
2005151564.tif 000004
【図３】
2005151564.tif 000005
【図４】
2005151564.tif 000006